(57)【要約】【課題】生体を介して確実に通信を行う。【解決手段】２つの電極１、２と、電極１、２に導線で接続され、各導線と電極１、２とその近傍に位置する生体（ユーザＵの人体）とを含むループ状の電流経路１００に電流を流すことにより信号を送信するとともに電流経路１００を流れる電流により信号を受信する通信装置３と、電流経路１００に磁気結合するように配置されるループアンテナ４ならびにループアンテナ４に電流を流すことにより信号を送信するとともにループアンテナ４を流れる電流により信号を受信する通信装置５とを設ける。【選択図】図１
2012222486.tif 000002
【特許請求の範囲】
【請求項１】
２つの電極と、
前記電極と前記電極の近傍に位置する生体とを含むループ状の電流経路に電流を流すことにより信号を送信するとともに前記電流経路を流れる電流により信号を受信する通信装置と、
前記ループ状の電流経路に磁気結合するように配置されるループアンテナと、
前記ループアンテナに電流を流すことにより信号を送信するとともに前記ループアンテナを流れる電流により信号を受信する通信装置と
を備えることを特徴とする生体通信システム。
【請求項２】
前記ループ状の電流経路を使用して信号を送受信する通信装置は、
前記ループアンテナを使用して信号を送受信する通信装置に対し前記電流経路を使用しないで通信を行うための無線通信部を備え、
前記ループアンテナを使用して信号を送受信する通信装置は、
前記ループ状の電流経路を使用して信号を送受信する通信装置に対し前記ループアンテナを使用しないで通信を行うための無線通信部を備える
ことを特徴とする請求項１記載の生体通信システム。
【請求項３】
２つの電極と、前記電極と前記電極の近傍に位置する生体とを含むループ状の電流経路に流れるループ状の電流経路に磁気結合するように配置されるループアンテナと、前記ループアンテナに電流を流すことにより信号を送信するとともに前記ループアンテナを流れる電流により信号を受信する通信装置とを備える生体通信システムで使用される通信装置であって、
前記ループ状の電流経路に電流を流すことにより信号を送信するとともに前記電流経路を流れる電流により信号を受信することを特徴とする通信装置。
【請求項４】
前記ループアンテナを使用して信号を送受信する通信装置は、
前記ループ状の電流経路を使用して信号を送受信する通信装置に対し前記ループアンテナを使用しないで通信を行うための無線通信部を備え、
前記ループ状の電流経路を使用して信号を送受信する通信装置は、
前記ループアンテナを使用して信号を送受信する通信装置に対し前記電流経路を使用しないで通信を行うための無線通信部を備える
ことを特徴とする請求項３記載の通信装置。
【請求項５】
２つの電極と、前記電極と前記電極の近傍に位置する生体とを含むループ状の電流経路に電流を流すことにより信号を送信するとともに前記電流経路を流れる電流により信号を受信する通信装置と、前記ループ状の電流経路に磁気結合するように配置されるループアンテナとを備える生体通信システムで使用される通信装置であって、
前記ループアンテナに電流を流すことにより信号を送信するとともに前記ループアンテナを流れる電流により信号を受信することを特徴とする通信装置。
【請求項６】
前記ループ状の電流経路を使用して信号を送受信する通信装置は、
前記ループアンテナを使用して信号を送受信する通信装置に対し前記電流経路を使用しないで通信を行うための無線通信部を備え、
前記ループアンテナを使用して信号を送受信する通信装置は、
前記ループ状の電流経路を使用して信号を送受信する通信装置に対し前記ループアンテナを使用しないで通信を行うための無線通信部を備える
ことを特徴とする請求項５記載の通信装置。
【請求項７】
２つの電極と、前記電極と前記電極の近傍に位置する生体とを含むループ状の電流経路に電流を流すことにより信号を送信するとともに前記電流経路を流れる電流により信号を受信する通信装置と、前記ループ状の電流経路に磁気結合するように配置されるループアンテナと、前記ループアンテナに電流を流すことにより信号を送信するとともに前記ループアンテナを流れる電流により信号を受信する通信装置とを備える生体通信システムの通信方法であって、
前記通信方法は、
前記ループ状の電流経路を使用して信号を送受信する通信装置が、前記電流経路に電流を流すことにより信号を送信する工程と、前記ループアンテナを使用して信号を送受信する通信装置が、前記ループアンテナを流れる電流により信号を受信する工程と
を備える、または、
前記ループアンテナを使用して信号を送受信する通信装置が、前記ループアンテナに電流を流すことにより信号を送信する工程と、前記ループ状の電流経路を使用して信号を送受信する通信装置が、前記電流経路を流れる電流により信号を受信する工程と
を備えることを特徴とする生体通信システムの通信方法。
【請求項８】
２つの電極と、前記電極と前記電極の近傍に位置する生体とを含むループ状の電流経路に電流を流すことにより信号を送信するとともに前記電流経路を流れる電流により信号を受信する通信装置と、前記ループ状の電流経路に磁気結合するように配置されるループアンテナと、前記ループアンテナに電流を流すことにより信号を送信するとともに前記ループアンテナを流れる電流により信号を受信する通信装置とを備える生体通信システムの通信方法であって、
前記ループ状の電流経路を使用して信号を送受信する通信装置は、前記ループアンテナを使用して信号を送受信する通信装置に対し前記電流経路を使用しないで通信を行うための無線通信部を備え、
前記ループアンテナを使用して信号を送受信する通信装置は、前記ループ状の電流経路を使用して信号を送受信する通信装置に対し前記ループアンテナを使用しないで通信を行うための無線通信部を備え、
前記通信方法は、
前記ループ状の電流経路を使用して信号を送受信する通信装置、前記ループアンテナを使用して信号を送受信する通信装置が、前記ループ状の電流経路と前記ループアンテナを使用して通信を行う工程と、
前記ループ状の電流経路を使用して信号を送受信する通信装置、前記ループアンテナを使用して信号を送受信する通信装置が、前記通信により得た情報に基づくメッセージを、前記各無線通信部を使用して送受信する工程と
を備えることを特徴とする生体通信システムの通信方法。
【発明の詳細な説明】
【技術分野】
【０００１】
本発明は、生体通信システム、通信装置および生体通信システムの通信方法
に関するものである。
【背景技術】
【０００２】
従来において、生体を介して通信を行う生体通信システムとしては、図１０に示すようなものがある。
【０００３】
通信装置３Ａ、５Ａは、それぞれ電極１、５０１を介して、大地に容量結合され、それぞれ電極２、５０２を介して、ユーザＵの人体に容量結合される。通信装置３Ａ、５Ａは、容量結合により形成された信号経路１００Ａを介して、通信を行う。
【先行技術文献】
【非特許文献】
【０００４】
【非特許文献１】"RedTacton"、［ｏｎｌｉｎｅ］、日本電信電話株式会社、［平成２３年３月１８日検索］、インターネット＜ＵＲＬ：http://www.redtacton.com/＞
【非特許文献２】門  勇一、品川  満、”人体近傍電界通信技術「レッドタクトン」とその応用”、ＮＴＴ技術ジャーナル、２０１０．１
【発明の概要】
【発明が解決しようとする課題】
【０００５】
しかし、通信装置５Ａと人体間の静電容量は、通信装置５Ａの位置や向き、人体周辺の電磁環境により変動し、且つ、その値は小さい。小さな静電容量は、回路内では大きな交流インピーダンスとなり、信号を小さくしてしまう。そのため、通信が不安定または行えない可能性がある。
【０００６】
本発明は、上記の課題に鑑みてなされたものであり、その目的とするところは、生体を介して確実に通信を行える生体通信システムおよびその通信方法を提供することにある。
【課題を解決するための手段】
【０００７】
上記の課題を解決するために、第１の本発明は、２つの電極と、前記電極と前記電極の近傍に位置する生体とを含むループ状の電流経路に電流を流すことにより信号を送信するとともに前記電流経路を流れる電流により信号を受信する通信装置と、前記ループ状の電流経路に磁気結合するように配置されるループアンテナと、前記ループアンテナに電流を流すことにより信号を送信するとともに前記ループアンテナを流れる電流により信号を受信する通信装置とを備えることを特徴とする生体通信システムをもって解決手段とする。
【０００８】
第２の本発明は、２つの電極と、前記電極と前記電極の近傍に位置する生体とを含むループ状の電流経路に流れるループ状の電流経路に磁気結合するように配置されるループアンテナと、前記ループアンテナに電流を流すことにより信号を送信するとともに前記ループアンテナを流れる電流により信号を受信する通信装置とを備える生体通信システムで使用される通信装置であって、前記ループ状の電流経路に電流を流すことにより信号を送信するとともに前記電流経路を流れる電流により信号を受信することを特徴とする通信装置をもって解決手段とする。
【０００９】
第３の本発明は、２つの電極と、前記電極と前記電極の近傍に位置する生体とを含むループ状の電流経路に電流を流すことにより信号を送信するとともに前記電流経路を流れる電流により信号を受信する通信装置と、前記ループ状の電流経路に磁気結合するように配置されるループアンテナとを備える生体通信システムで使用される通信装置であって、前記ループアンテナに電流を流すことにより信号を送信するとともに前記ループアンテナを流れる電流により信号を受信することを特徴とする通信装置をもって解決手段とする。
【００１０】
第４の本発明は、２つの電極と、前記電極と前記電極の近傍に位置する生体とを含むループ状の電流経路に電流を流すことにより信号を送信するとともに前記電流経路を流れる電流により信号を受信する通信装置と、前記ループ状の電流経路に磁気結合するように配置されるループアンテナと、前記ループアンテナに電流を流すことにより信号を送信するとともに前記ループアンテナを流れる電流により信号を受信する通信装置とを備える生体通信システムの通信方法であって、前記通信方法は、前記ループ状の電流経路を使用して信号を送受信する通信装置が、前記電流経路に電流を流すことにより信号を送信する工程と、前記ループアンテナを使用して信号を送受信する通信装置が、前記ループアンテナを流れる電流により信号を受信する工程とを備える、または、前記ループアンテナを使用して信号を送受信する通信装置が、前記ループアンテナに電流を流すことにより信号を送信する工程と、前記ループ状の電流経路を使用して信号を送受信する通信装置が、前記電流経路を流れる電流により信号を受信する工程とを備えることを特徴とする生体通信システムの通信方法をもって解決手段とする。
【発明の効果】
【００１１】
本発明によれば、電極と電極の近傍に位置する生体とを含むループ状の電流経路に電流を流すことにより信号を送信するとともに電流経路を流れる電流により信号を受信する通信装置と、ループ状の電流経路に磁気結合するように配置されるループアンテナと、ループアンテナに電流を流すことにより信号を送信するとともにループアンテナを流れる電流により信号を受信する通信装置とを備えるので、通信不安定や通信不能の原因となる結合容量が通信経路に含まれず、もって、生体を介して確実に通信を行うことができる。
【図面の簡単な説明】
【００１２】
【図１】第１の実施の形態に係る生体通信システムの構成を示す図である。
【図２】第１の実施の形態における通信装置３、５の接続状態を示す図である。
【図３】第１の実施の形態の通信装置３、５の構成を示すブロック図である。
【図４】第１の実施の形態に係る生体通信システムの通信方法の一例を示すシーケンス図である。
【図５】第１の実施の形態に係る生体通信システムの利用形態の例を示す図である。
【図６】第１の実施の形態に係る生体通信システムの利用形態の別な例を示す図である。
【図７】第２の実施の形態の通信装置３、５の構成を示すブロック図である。
【図８】第２の実施の形態における通信装置３、５の無線通信での接続状態を示す図である。
【図９】第２の実施の形態に係る生体通信システムの通信方法の一例を示すシーケンス図である。
【図１０】従来の生体通信システムを説明するための図である。
【発明を実施するための形態】
【００１３】
以下、本発明の実施の形態について図面を参照して説明する。
【００１４】
［第１の実施の形態］
図１は、第１の実施の形態に係る生体通信システムの構成を示す図である。
【００１５】
生体通信システムは、２つの電極１、２と、電極１、２に導線で接続され、各導線と電極１、２とその近傍に位置する生体（ユーザＵの人体）とを含むループ状の電流経路１００に電流を流すことにより信号を送信するとともに電流経路１００を流れる電流により信号を受信する通信装置３と、電流経路１００に磁気結合するように配置されるループアンテナ４ならびにループアンテナ４に電流を流すことにより信号を送信するとともにループアンテナ４を流れる電流により信号を受信する通信装置５とを備える。
【００１６】
例えば、電極１、２は、それぞれ床上、支持台の上に設けられる。
【００１７】
ユーザＵは、生体通信システムの利用に際して、電極１に乗り且つ電極２に触れ、こうして、電流経路１００が形成される。
【００１８】
ループアンテナ４は、通信装置５に組み込まれ、例えば、ユーザＵは、通信装置５を携帯する。
【００１９】
通信装置３は、通信装置５に対して送信すべき信号に応じた交流電流を電流経路１００に流し、これにより、電流経路１００を貫通する方向の磁束が生じる。
【００２０】
通信装置５はユーザＵに携帯されるので、磁束は、ループアンテナ４を貫通する。つまり、電流経路１００にループアンテナ４が磁気結合される。
【００２１】
一方、通信装置５は、通信装置３に対して送信すべき信号に応じた交流電流をループアンテナ４に流し、これにより、ループアンテナ４を貫通する方向の磁束が生じる。
【００２２】
通信装置５はユーザＵに携帯されるので、磁束は、電流経路１００を貫通する。つまり、ループアンテナ４に電流経路１００が磁気結合される。
【００２３】
なお、電流経路１００は、模式的に図示しており、また、ループアンテナ４の向きについても、図１の電流経路１００に適した向きで図示しているが、通信装置５がユーザＵに携帯されていれば、図１の向きでなくても、電流経路１００とループアンテナ４は磁気結合される。
【００２４】
図２は、第１の実施の形態における通信装置３、５の接続状態を示す図である。
【００２５】
ここでは、電流経路１００にあわせて、ユーザＵの人体をループ状に図示している。電流経路１００は、通信装置３、電極１、２、ユーザＵの人体により形成され、電流経路４００は、通信装置５、ループアンテナ４により形成される。電流経路１００、４００は、互いに磁気結合されるように配置される。これにより、通信装置３、５の接続状態が形成される。
【００２６】
図３は、第１の実施の形態の通信装置３、５の構成を示すブロック図である。
【００２７】
図３（ａ）に示すように、通信装置３は、電源部３１、トランシーバ３２、復調器３３、変調器３４、制御部３５、コンピュータ３６を備える。制御部３５は、電極１、２とトランシーバ３２の接続を受信及び送信の２状態で切り替え、送受信動作を時分割で行う。
【００２８】
送信時においては、制御部３５は、コンピュータ３６からの指令もしくは内部要因により送信すべきメッセージを作成し、デジタル化して変調器３４に出力する。
【００２９】
変調器３４は、メッセージに対し、ASK(Amplide shift Keying),PSK(Phase ShiftKeying) またはFSK(Frequency Shift Keying) などの変調を行い、トランシーバ３２に出力する。
【００３０】
トランシーバ３２は、変調器３４から出力されるデジタル変調信号を、所定のキャリア周波数近傍に集中した電力を持つアナログ信号に変換し、電極１、２間に出力する。
【００３１】
受信時においては、制御部３５は、コンピュータ３６からの指令もしくは内部要因により受信タイミングを検出したなら、トランシーバ３２に受信を指令する。
【００３２】
トランシーバ３２は、電極１、２から入力されるアナログ信号を取得し、これを所定の中間周波数（ＤＣも含む）近傍に集中した電力をもつデジタル信号に変換し、復調器３３に出力する。
【００３３】
復調器３３は、トランシーバ３２から入力されるデジタル信号を復調し、ベースバンドデジタルデータに復調（変換）して制御部３５に出力する。
【００３４】
制御部３５は、復調器３３から入力されるベースバンドデジタルデータからメッセージを復元し、コンピュータ３６に送信する。
【００３５】
図３（ｂ）に示すように、通信装置５は、電源部５１、トランシーバ５２、復調器５３、変調器５４、制御部５５、コンピュータ５６を備える。制御部５５は、ループアンテナ４とトランシーバ５２の接続を受信及び送信の２状態で切り替え、送受信動作を時分割で行う。
【００３６】
送信時においては、制御部５５は、コンピュータ５６からの指令もしくは内部要因により送信すべきメッセージを作成し、デジタル化して変調器５４に出力する。
【００３７】
変調器５４は、メッセージに対し、ASK(Amplide shift Keying),PSK(Phase ShiftKeying) またはFSK(Frequency Shift Keying) などの変調を行い、トランシーバ５２に出力する。
【００３８】
トランシーバ５２は、変調器５４から出力されるデジタル変調信号を、所定のキャリア周波数近傍に集中した電力を持つアナログ信号に変換し、ループアンテナ４に出力する。
【００３９】
受信時においては、制御部５５は、コンピュータ５６からの指令もしくは内部要因により受信タイミングを検出したなら、トランシーバ５２に受信を指令する。
【００４０】
トランシーバ５２は、ループアンテナ４から入力されるアナログ信号を取得し、これを所定の中間周波数（ＤＣも含む)近傍に集中した電力をもつデジタル信号に変換し、復調器５３に出力する。
【００４１】
復調器５３は、トランシーバ５２から入力されるデジタル信号を復調し、ベースバンドデジタルデータに復調（変換）して制御部５５に出力する。
【００４２】
制御部５５は、復調器から入力されるベースバンドデジタルデータからメッセージを復元し、コンピュータ５６に送信する。
【００４３】
図４は、第１の実施の形態に係る生体通信システムの通信方法の一例を示すシーケンス図である。
【００４４】
まず、ユーザＵは電極１に乗り（Ｓ１）、電極２に触れる（Ｓ２）、これにより、電流経路１００が形成される。
【００４５】
一方、通信装置３は、電流経路１００の有無によらず、呼び出しメッセージを交流のアナログ信号に変調し、これを常に電極１、２に送信している（Ｓ３１）。
【００４６】
このため、電流経路１００が形成されると、アナログ信号（交流電流）が電流経路１００に流れる。
【００４７】
交流電流により生じた交流磁束はループアンテナ４を貫通し、ループアンテナ４には誘導起電力が生じ、交流電流が流れる。
【００４８】
通信装置５は、呼び出しメッセージを所定の時間間隔で検出するキャリアセンス状態になっており（Ｓ５１）、交流電流（アナログ信号）をデジタル信号に変換し、デジタル信号から呼び出しメッセージを復元する（Ｓ１１）。
【００４９】
通信装置５は、呼び出しメッセージが得られると、応答メッセージを交流のアナログ信号に変調し、これをループアンテナ４に送信する。
【００５０】
この交流電流により生じた交流磁束は、電流経路１００を貫通し、電流経路１００には誘導起電力が生じ、交流電流が流れる。
【００５１】
通信装置３は、交流電流（アナログ信号）をデジタル信号に変換し、デジタル信号から応答メッセージを復元する（Ｓ１３）。
【００５２】
呼び出しメッセージ、応答メッセージの送受信が終わると、同様に、目的の１以上のメッセージが送受信される（Ｓ１５）。
【００５３】
目的のメッセージの送受信が終わると、通信装置３は通信装置５に終了要求メッセージを送信し（Ｓ２１）、これに対し、通信装置５は通信装置３に応答メッセージとして終了応答を送信する（Ｓ２３）。
【００５４】
通信装置３は、終了応答を受信すると、上記のように、呼び出しメッセージを送信する（Ｓ３１）。
【００５５】
通信装置５は、終了応答を送信すると、呼び出しメッセージを所定の時間間隔で検出するキャリアセンス状態に移行する（Ｓ５１）。
【００５６】
一方、ユーザＵは電極２から手を離し（Ｓ４）、これにより、電流経路１００が消滅し、ユーザＵは電極１から降りる（Ｓ５）。
【００５７】
図５、図６は、第１の実施の形態に係る生体通信システムの利用形態の例を示す図である。
【００５８】
生体通信システムは、図５（ａ）のように、電極１を床に、電極２を机の上に設置した利用形態を採用してもよい。また、図５（ｂ）のように、電極１を椅子の座面に、電極２を机の上に設置してもよい。また、図５（ｃ）のように、電極１を椅子の背もたれに、電極２を机の上に設置してもよい。また、図５（ｄ）のように、電極１を椅子のヘッドレストに、電極２を机の上に設置してもよい。
【００５９】
また、図６（ａ）のように、電極１をフットレストに、電極２を机の上に設置してもよい。また、図６（ｂ）のように、電極１を自動車の座面に、電極２をステアリングに設置してもよい。また、図６（ｃ）のように、電極１を床に、電極２をドアノブに設置してもよい。また、図６（ｄ）のように、電極１を床に、電極２を壁に設置してもよい。
【００６０】
したがって、第１の実施の形態に係る生体通信システムによれば、２つの電極１、２と、電極１、２と電極１、２の近傍に位置する生体とを含むループ状の電流経路１００に電流を流すことにより信号を送信するとともに電流経路１００を流れる電流により信号を受信する通信装置３と、ループ状の電流経路１００に磁気結合するように配置されるループアンテナ４と、ループアンテナ４に電流を流すことにより信号を送信するとともにループアンテナ４を流れる電流により信号を受信する通信装置５とを備えるので、通信不安定や通信不能の原因となる結合容量が通信経路に含まれず、もって、生体を介して確実に通信を行うことができる。
【００６１】
［第２の実施の形態］
次に、第２の実施の形態に係る生体通信システムについて説明する。
【００６２】
第２の実施の形態では、第１の実施の形態の構成要素と同一または類似の要素に対し同一の符号を付与して重複説明を省略するとともに、第１の実施の形態との差異を中心に説明を行う。
【００６３】
図７は、第２の実施の形態の通信装置３、５の構成を示すブロック図である。
【００６４】
図７（ａ）に示すように、通信装置３は、電源部３１、トランシーバ３２、復調器３３、変調器３４、制御部３５、コンピュータ３６、無線通信部３７、アンテナ３８を備える。
【００６５】
無線通信部３７は、アンテナ３８を介して、通信装置５と無線通信を行い、無線通信で送受信する情報を、制御部３５を介して、コンピュータ３６との間で送受する。
【００６６】
図７（ｂ）に示すように、通信装置５は、電源部５１、トランシーバ５２、復調器５３、変調器５４、制御部５５、コンピュータ５６、無線通信部５７、アンテナ５８を備える。
【００６７】
無線通信部５７は、アンテナ５８を介して、通信装置３と無線通信を行い、無線通信で送受信する情報を、制御部５５を介して、コンピュータ５６との間で送受する。
【００６８】
無線通信部３７、５７は、例えば、アクティブタグ等で使用されるＵＨＦ帯の無線通信方式により通信する。
【００６９】
図８は、第２の実施の形態における通信装置３、５の無線通信での接続状態を示す図である。
【００７０】
第２の実施の形態では、図２に示すような電流経路１００とループアンテナ４による接続状態のみでなく、図８に示すように、アンテナ３８、５８が無線通信可能な状態となり、これにより、通信装置３、５の無線通信での接続状態が形成される。
【００７１】
図９は、第２の実施の形態に係る生体通信システムの通信方法の一例を示すシーケンス図である。
【００７２】
第２の実施の形態においては、ステップＳ１５において、相互認証メッセージが送受信される。
【００７３】
つまり、通信装置３は、通信装置５を認証したことを示す情報ＩＤＡを通信装置５に送信し、通信装置５は、情報ＩＤＡを記憶する。
【００７４】
また、通信装置５は、通信装置３を認証したことを示す情報ＩＤＢを通信装置３に送信し、通信装置３は、情報ＩＤＢを記憶する。
【００７５】
そして、通信装置３が、終了応答を受信し（Ｓ２３）、呼び出しメッセージの送信処理に移行し（Ｓ３１）、通信装置５が、終了応答を送信し（Ｓ２３）、キャリアセンス状態に移行する（Ｓ５１）と、通信装置３の無線通信部３７と通信装置５の無線通信部５７は、情報ＩＤＡ、ＩＤＢを用いた無線通信を行う（Ｓ１０１）。
【００７６】
例えば、通信装置３は、通信装置５に送信すべきメッセージに情報ＩＤＢを含ませ、無線通信部３７が、これをアンテナ３８から通信装置５に無線送信する。通信装置５の無線通信部５７は、アンテナ５８を介してメッセージを受信する。
【００７７】
通信装置５は、メッセージに情報ＩＤＢが含まれるので、通信装置３に送信すべきメッセージに情報ＩＤＡを含ませ、無線通信部が、これをアンテナから通信装置３に無線送信する。通信装置３は、メッセージを受信する。
【００７８】
通信装置３は、メッセージに情報ＩＤＡが含まれるので、以降、同様に通信装置５に対して、無線によりメッセージを送信する。
【００７９】
通信装置５も、以降、同様に通信装置３に対して、無線によりメッセージを送信する。
【００８０】
つまり、通信装置３、５は、無線により、セキュリティーを確保したメッセージの送受信を行うことができる。なお、かかるメッセージの送受信は、情報ＩＤＡ、ＩＤＢを送受信した後であれば、任意のタイミングで行うことができる。
【００８１】
したがって、第２の実施の形態に係る生体通信システムによれば、ループ状の電流経路１００を使用して信号を送受信する通信装置３は、ループアンテナ４を使用して信号を送受信する通信装置５に対し電流経路１００を使用しないで通信を行うための無線通信部３７を備え、ループアンテナ４を使用して信号を送受信する通信装置５は、ループ状の電流経路１００を使用して信号を送受信する通信装置３に対しループアンテナ４を使用しないで通信を行うための無線通信部５７を備えることで、ループ状の電流経路１００とループアンテナ４による通信と、無線通信部３７、５７による通信を適宜使い分けることができる。
【００８２】
例えば、一方の通信の消費電力が大きい場合は、その通信の使用を必要最小限にし、消費電力を低下させることができる。これにより、例えば、通信装置を電池駆動する場合は、電池寿命を長くできる。また、低電力化により、発熱を抑え、これにより、通信装置の省スペース化や低コスト化に寄与することができる。
【符号の説明】
【００８３】
１、２…電極
３、３Ａ、５、５Ａ…通信装置
４…ループアンテナ
３１、５１…電源部
３２、５２…トランシーバ
３３、５３…復調器
３４、５４…変調器
３５、５５…制御部
３６、５６…コンピュータ
３７、５７…無線通信部
３８、５８…アンテナ
１００、４００…電流経路
【図１】
2012222486.tif 000003
【図２】
2012222486.tif 000004
【図３】
2012222486.tif 000005
【図４】
2012222486.tif 000006
【図５】
2012222486.tif 000007
【図６】
2012222486.tif 000008
【図７】
2012222486.tif 000009
【図８】
2012222486.tif 000010
【図９】
2012222486.tif 000011
【図１０】
2012222486.tif 000012